(57)【要約】【課題】係止機構のリセットを確実にする。【解決手段】開閉装置であって、装置本体に対し回転ヒンジを介して開閉可能に支持された開閉部材と、開閉部材が開方向へ回転するように付勢する回転付勢部材と、開閉部材を係止して閉状態を維持する係止位置と、回転付勢部材の付勢力による開方向への回転を許容する解除位置との間で変位する係止部材と、係合部を有し、係止部材に連動して変位する変位部材と、係合部に腕部が係合して、係止部材を解除位置に向けて付勢するトーションばねとを備え、開閉部材は、係止部材が解除位置に変位して開方向への回転を始めた後に腕部に当接して、トーションばねの係合部に作用する付勢力を消失させる当接部を有する。【選択図】図１０
2015069000.tif 000002
【特許請求の範囲】
【請求項１】
装置本体に対し回転ヒンジを介して開閉可能に支持された開閉部材と、
前記開閉部材が開方向へ回転するように付勢する回転付勢部材と、
前記開閉部材を係止して閉状態を維持する係止位置と、前記回転付勢部材の付勢力による開方向への回転を許容する解除位置との間で変位する係止部材と、
係合部を有し、前記係止部材に連動して変位する変位部材と、
前記係合部に腕部が係合して、前記係止部材を前記解除位置に向けて付勢するトーションばねと
を備え、
前記開閉部材は、前記係止部材が前記解除位置に変位して前記開方向への回転を始めた後に前記腕部に当接して、前記トーションばねの前記係合部に作用する付勢力を消失させる当接部を有する開閉装置。
【請求項２】
前記係止部材を、前記係止位置に向かって移動させるべく付勢する係止付勢部材を備える請求項１に記載の開閉装置。
【請求項３】
前記トーションばねの付勢力に抗して前記変位部材を係止する第１状態と、前記トーションばねの付勢力を作用させて前記変位部材を変位させる第２状態とを電気信号により切り替える駆動部材を備える請求項２に記載の開閉装置。
【請求項４】
前記駆動部材は、前記第１状態において磁石の吸引力によりプランジャを係止し、前記第２状態において前記プランジャを前記磁石の磁力から開放するソレノイドを有する請求項３に記載の開閉装置。
【請求項５】
前記変位部材は、
前記トーションばねの付勢力が前記係止付勢部材の付勢力よりも強く作用した場合に、前記係止部材を前記解除位置に向かって変位させ、
前記プランジャを吸着する磁力および前記係止付勢部材の付勢力の合力が前記トーションばねの付勢力よりも強く作用した場合に、前記係止部材を前記係止位置に向かって変位させる
請求項４に記載の開閉装置。
【請求項６】
前記係止部材は、前記磁石による吸引力が前記プランジャに作用した場合に、前記係止付勢部材により前記係止位置に戻される請求項５に記載の開閉装置。
【請求項７】
前記回転付勢部材は、前記トーションばねと共に前記回転ヒンジに巻かれたコイル部を含むトーションばね形状を有する請求項１から請求項６までのいずれか１項に記載の開閉装置。
【発明の詳細な説明】
【技術分野】
【０００１】
本発明は、開閉装置に関する。
【背景技術】
【０００２】
係止を解くことにより付勢された開閉部材を開かせる開閉装置がある（例えば、特許文献１参照）。
特許文献１  特開２００５−３４５６１５号公報
【発明の概要】
【発明が解決しようとする課題】
【０００３】
上記開閉装置において係止が一旦解かれると、開閉部材が大きく開くまで係止機構がリセットされず、再係止できない。
【課題を解決するための手段】
【０００４】
本発明の一態様においては、装置本体に対し回転ヒンジを介して開閉可能に支持された開閉部材と、開閉部材が開方向へ回転するように付勢する回転付勢部材と、開閉部材を係止して閉状態を維持する係止位置と、回転付勢部材の付勢力による開方向への回転を許容する解除位置との間で変位する係止部材と、係合部を有し、係止部材に連動して変位する変位部材と、係合部に腕部が係合して、係止部材を解除位置に向けて付勢するトーションばねとを備え、開閉部材は、係止部材が解除位置に変位して開方向への回転を始めた後に腕部に当接して、トーションばねの係合部に作用する付勢力を消失させる当接部を有する開閉装置が提供される。
【０００５】
上記の発明の概要は、この発明の特徴の全てを列挙したものではない。これらの特徴群のサブコンビネーションもまた発明となり得る。
【図面の簡単な説明】
【０００６】
【図１】撮像装置１００の斜視図である。
【図２】開閉発光部１３０が開いた状態を示す斜視図である。
【図３】開閉発光部１３０の断面図である。
【図４】係止機構２００の一部の斜視図である。
【図５】係止機構２００の一部の底面図である。
【図６】係止機構２００の一部の底面図である。
【図７】開閉発光部１３０の断面図である。
【図８】開閉発光部１３０の部分拡大断面図である。
【図９】開閉発光部１３０の部分拡大断面図である。
【図１０】開閉発光部１３０の断面図である。
【図１１】開閉発光部１３０の断面図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置１００の斜視図である。撮像装置１００は、本体１１０およびレンズ鏡筒１２０を備える。なお、以降の説明において、本体１１０に対してレンズ鏡筒１２０が設けられている側を前側、本体１１０に対してレンズ鏡筒１２０と反対の側を後側と記載する。
【０００９】
撮像装置１００は、レンズ鏡筒１２０の光学系を通じて入射した被写体光により形成された像を電気信号に変換して記録する。本体１１０の図中上面には、カバー１３２およびアクセサリシュー１４０が配される。カバー１３２は、図示のように閉じている場合は、本体１１０の表面と滑らかに連続する。アクセサリシュー１４０は、照明装置、ＧＰＳユニット、マイクロフォン等の外部アクセサリを取り付ける場合に使用される。
【００１０】
図２は、撮像装置１００においてカバー１３２が開いた状態を示す部分斜視図である。カバー１３２は、開閉発光部１３０を覆っている。カバー１３２が開いた場合、本体１１０の上方に、開閉発光部１３０の脚部１３４および発光窓１３６が現れる。
【００１１】
脚部１３４は、後側端部を本体１１０から軸支される。脚部１３４の前側端部は、発光窓１３６を保持する。発光窓１３６は、放電管、発光ダイオード等の光源を覆う拡散板である。
【００１２】
カバー１３２が開閉する場合は、脚部１３４の後端を回転軸として、脚部１３４、発光窓１３６を含む組立体が、本体１１０に対して一体的に回転する。これにより、発光窓１３６は、本体１１０から離れた位置で、撮像装置１００の撮像対象に対向する。よって、発光窓１３６から放射された照明光は、撮像対象を照明する。
【００１３】
開閉発光部１３０は、撮像装置１００の制御部が必要と判断した場合に自動的に起立する。また、開閉発光部１３０は、本体１１０に設けられた起立ボタン１１２をユーザが押した場合も本体１１０に対して起立する。
【００１４】
図３は、開閉発光部１３０の断面図である。図示の状態は、図１に示したように、カバー１３２が閉じられて、開閉発光部１３０が閉じた状態を示す。なお、図３は、開閉発光部１３０のカバー１３２を取り去って、脚部１３４および発光窓１３６が露出した状態を示す。
【００１５】
また、図３には、開閉発光部１３０を閉じた場合に係止する係止機構２００を併せて示す。係止機構２００は、開閉発光部１３０を、撮像装置１００の本体１１０に対して係止する機能と、その係止を解除する機能とを有する。
【００１６】
なお、図３における係止機構２００は、開閉発光部１３０を下から見上げた様子を示す底面図により表される。係止機構２００に含まれるソレノイドユニット２１０は、開閉発光部１３０の図示の断面に対して手前側に位置し、断面図にはあらわれない。
【００１７】
開閉発光部１３０は、脚部１３４の後端近傍に回転ヒンジ１３３を有する。これにより、開閉発光部１３０は、本体１１０から回転自在に支持される。
【００１８】
また、開閉発光部１３０は、回転ヒンジ１３３をコイル部分に挿通された回転付勢ばね１９０を有する。回転付勢ばね１９０は、一対の腕部１９２、１９４を有するトーションばねをなす。回転付勢ばね１９０の一方の腕部１９２は、脚部１３４に設けられた突起１３９に係止される。回転付勢ばね１９０の他方の腕部１９４は、本体１１０に係止される。これにより、開閉発光部１３０は、回転ヒンジ１３３を回転軸として図中時計回りの回方向へ回転してカバー１３２を開く方向に付勢される。
【００１９】
ただし、開閉発光部１３０は、脚部１３４に設けられた係止溝１３８において、係止機構２００により、本体１１０に対して係止される。よって、図示の状態において、開閉発光部１３０は、脚部１３４を略水平にして、本体１１０に沿って閉じた状態が保たれる。
【００２０】
係止機構２００は、係止部材１５０、係止ばね１６０、変位部材１７０、係止解除ばね１８０およびソレノイドユニット２１０を有する。係止部材１５０は、回転軸１５２および係止フック１５４を含む。回転軸１５２は、本体１１０に対して回転自在に、係止部材１５０全体を支持する。係止部材１５０が回転した場合、図中上端に設けられた係止フック１５４が、撮像装置１００の前後方向に移動する。図示の状態において、係止フック１５４は開閉発光部１３０の係止溝１３８に掛かる係止位置に在り、開閉発光部１３０を本体１１０に対して係止する。
【００２１】
係止ばね１６０は、一対の腕部１６２、１６４を有するトーションばねをなす。係止ばね１６０において、図中後側の一方の腕部１６２は、本体１１０に当接する。係止ばね１６０において、図中前側の他方の腕部１６４は、係止部材１５０に設けられた被付勢部１５８に当接して、係止部材１５０を前方に向かって付勢する。
【００２２】
このように、係止機構２００は、係止部材１５０を係止位置に向かって移動させるべく付勢する係止ばね１６０を有してもよい。係止ばね１６０は、係止部材１５０を係止位置に向かって付勢する係止付勢部材を形成する。
【００２３】
図４は、係止機構２００の部分的な斜視図であり、図３に示した係止機構２００を裏返した状態で見下ろした様子を示す。係止機構２００において、変位部材１７０は、係止部材１５０の後方に、撮像装置１００の本体１１０に対して前後方向に移動自在に配される。また、変位部材１７０は、一体的に形成された係合部１７２、押当部１７４および連結部１７６を有する。
【００２４】
変位部材１７０において、押当部１７４は、変位部材１７０の一端近傍に設けられ、係止部材１５０に設けられた押当部１５６に当接する。これにより、係止部材１５０が係止ばね１６０により前方に向かって付勢された場合に、互いに押し当てられた押当部１５６、１７４を通じて、変位部材１７０も前方に付勢される。また、変位部材１７０が図中後方に向かって変位した場合、互いに押し当てられた押当部１５６、１７４を通じて変位が伝達され、係止部材１５０も後方に変位する。
【００２５】
変位部材１７０の他端には、連結部１７６が設けられる。連結部１７６は、ソレノイドユニット２１０のプランジャ２１６に設けられた連結部２１８と嵌合して、変位部材１７０とプランジャ２１６とを連結する。これにより、プランジャ２１６と変位部材１７０は互いに連結され、プランジャ２１６の移動方向について一体的に変位する。
【００２６】
再び図３を参照すると、係止解除ばね１８０は、回転付勢ばね１９０と共通に回転ヒンジ１３３をコイル部に挿通されたトーションばねであり、腕部１８２を有する。係止解除ばね１８０の腕部１８２の下端は、本体１１０の上面に設けられた開口１１６を通じて変位部材１７０まで届き、係合部１７２において変位部材１７０と係合する。
【００２７】
また、図示の状態において、係止解除ばね１８０の腕部１８２先端は、変位部材１７０の係合部１７２後端に当接して、変位部材１７０を後方に向かって付勢する。ただし、係止解除ばね１８０は、回転ヒンジ１３３の回りを開閉発光部１３０と共に回転する。よって、開閉発光部１３０が図中時計回りに回転した場合、係止解除ばね１８０が変位部材１７０にかける付勢力が弱まる。
【００２８】
ソレノイドユニット２１０は、磁石部、コイル部２１４、プランジャ２１６およびブラケット２１５を有する。プランジャ２１６は、コイル部２１４の内部に、図中前後方向に移動可能に挿通される。磁石部２１２は、鉄等の磁性体により形成されたプランジャ２１６を磁力により吸着して保持する。
【００２９】
コイル部２１４は、通電された場合にプランジャ２１６を変位させて、磁石部２１２から引き離す。これにより、プランジャ２１６は、図中右方に変位して、コイル部２１４から突出する。コイル部２１４は、ブラケット２１５により本体１１０に対して固定されているので、プランジャ２１６が変位した場合は、プランジャ２１６に連結された変位部材１７０も変位する。このように、ソレノイドユニット２１０は、磁石部２１２の吸引力によりプランジャ２１６を係止する第１状態と、プランジャ２１６を磁石部２１２による吸着から開放する第２状態とをとり得る駆動部材となる。
【００３０】
図５は、係止機構２００の底面図であり、図３に示した係止機構２００をそのまま拡大して示す。また、係止機構２００の動作状態も、図３に示した状態と等しい。
【００３１】
図示の状態において、ソレノイドユニット２１０のプランジャ２１６は、磁石部２１２に吸着されている。このため、プランジャ２１６のコイル部２１４に対する突出量Ｓ１も小さい。
【００３２】
プランジャ２１６に連結された変位部材１７０は、撮像装置１００の前方に寄った位置にある。ここで、変位部材１７０の係合部１７２に挿通された係止解除ばね１８０の腕部１８２は、係合部１７２の内面後側に当接して、変位部材１７０を撮像装置１００の後方に向かって付勢する。ただし、変位部材１７０に連結されたプランジャ２１６が磁石部２１２に吸着されているので、変位部材１７０は、係止解除ばね１８０の付勢力に抗して、撮像装置１００の前方に寄った位置に留まる。
【００３３】
係止部材１５０は、被付勢部１５８において係止ばね１６０により撮像装置１００の前方に向かって付勢されているので、係止フック１５４は、相対的に大きな突き出し長さＬ１まで撮像装置１００の前方に向かって突出する。よって、開閉発光部１３０が本体１１０に沿って閉じている場合、係止フック１５４は、係止溝１３８に掛かって開閉発光部１３０を係止する。なお、突き出し長差Ｌ１は、本体１１０に対して変位しない回転軸１５２の中心を基準とする。
【００３４】
係止部材１５０の係止フック１５４が係止溝１３８に係合して開閉発光部１３０を係止している場合、ソレノイドユニット２１０においてプランジャ２１６を吸着する吸着力と、係止ばね１６０が被付勢部１５８において係止部材１５０を付勢する付勢力との合力が、係止解除ばね１８０が係合部１７２において変位部材１７０を付勢する付勢力を上回る。これにより、係止部材１５０は、係止フック１５４が係止溝１３８に嵌まり込む係止位置に向かって付勢された状態になる。
【００３５】
また、係止部材１５０の係止フック１５４が係止溝１３８に係合して開閉発光部１３０を係止している場合、係止機構２００においては、係止部材１５０の押当部１５６と、変位部材１７０の押当部１７４との間には僅かな間隙が生じる。これにより、開閉発光部１３０を押し下げた場合に、開閉発光部１３０のカバー１３２と本体１１０との間隙の公差に影響されることなく、係止フック１５４が係止溝１３８を確実に係止できる。
【００３６】
図６は、係止機構２００の一部の底面図であり、図５と同じ視点から見た様子を示す。図６は、ソレノイドユニット２１０のコイル部２１４に通電した状態を示す。コイル部２１４に通電した場合、プランジャ２１６は磁石部２１２から引き離される。これにより、腕部１８２を通じて変位部材１７０を付勢する係止解除ばね１８０の付勢力に対して、係止部材１５０を付勢する係止ばね１６０が単独で対抗することになる。
【００３７】
図示の状態において、係止解除ばね１８０の変位部材１７０に対する付勢力は、係止ばね１６０の係止部材１５０に対する付勢力よりも大きい。よって、変位部材１７０は、係止解除ばね１８０の付勢力により、撮像装置１００の後方に向かって変位する。また、変位部材１７０の変位に伴い、連結部１７６、２１８において連結されたプランジャ２１６は、コイル部２１４から引き出されて、突出量Ｓ２を拡大する。
【００３８】
変位部材１７０が後方に移動した場合、変位部材の押当部１７４は、係止部材１５０の押当部１５６を押すことにより、係止部材１５０を回転軸１５２の回りに回転させる。これにより、係止部材１５０は解除位置に向かって移動し、係止フック１５４の突き出し長さＬ２が縮小される。
【００３９】
こうして、係止フック１５４が係止溝１３８からはずれ、係止機構２００による開閉発光部１３０の係止が解除される。係止機構２００による係止が解除されると、開閉発光部１３０は回転付勢ばね１９０の付勢力により、開閉発光部１３０は回転ヒンジ１３３の回りを図中時計回りに回転して、本体１１０に対して起立する。
【００４０】
図７は、開閉発光部１３０の断面図であり、係止部材１５０による係止が解除された直後の状態を、図３と同じ視点から示す。なお、図７においても、開閉発光部１３０のカバー１３２を取り去って、脚部１３４および発光窓１３６が露出した状態を示す。また、図７には、図６に示した状態の係止機構２００の底面図を併せて示す。
【００４１】
既に説明した通り、ソレノイドユニット２１０において磁石部２１２によるプランジャ２１６の吸着が解除されたことにより、変位部材１７０は、係止解除ばね１８０の付勢力により、撮像装置１００の後方に向かって変位する。これにより、係止部材１５０の係止フック１５４が開閉発光部１３０の係止溝１３８から外れ、開閉発光部１３０の係止が解除される。よって、開閉発光部１３０は、回転付勢ばね１９０の付勢力により回転ヒンジ１３３の回りを回転して、本体１１０に対して起立し得る状態になる。
【００４２】
このように、ソレノイドユニット２１０を用いた係止機構２００は、係止解除ばね１８０の付勢力に抗して変位部材１７０の変位を係止して、開閉発光部１３０を閉じた第１状態と、変位部材１７０を変位させて開閉発光部１３０を起立させた第２状態とを、電気的に切り替えることができる。よって、撮像装置１００の制御部と、起立ボタン１１２とのいずれかからの指示を受けて、開閉発光部１３０を畳んだ状態を保持し、また、開閉発光部１３０を起立させることができる。
【００４３】
図８は、開閉発光部１３０の部分拡大断面図であり、係止を解除された開閉発光部１３０が起立し始めた段階における、係止解除ばね１８０の状態を説明する図である。開閉発光部１３０は起立し始め、本体１１０から僅かに離れている。
【００４４】
図示の状態において、係止解除ばね１８０の一方の腕部１８２は、変位部材１７０の係合部１７２の内面に当接して、変位部材１７０を変位可能な範囲の最後端に留めている。なお、後退し切った場合の変位部材１７０の位置は、図７を参照すると判るように、係止部材１５０の後部が、本体１１０の一部に当接する位置に相当する。これにより、係止部材１５０の係止フック１５４は、開閉発光部１３０の係止溝１３８から抜け出る。
【００４５】
また、係止解除ばね１８０の図中上側の腕部１８４は、回転ヒンジ１３３に掛かっている。これにより、開閉発光部１３０が回転ヒンジ１３３の回りを回転する場合に、係止解除ばね１８０も開閉発光部１３０と共に回転する。
【００４６】
図９は、図８と同じ視点から示す開閉発光部１３０の部分拡大断面図である。図９は、開閉発光部１３０が、図８に示した段階から更に僅かに回転した状態を示す。
【００４７】
図８に示した状態と比較すると、開閉発光部１３０が更に回転したことにより、開閉発光部１３０の後側端部に設けられた当接部１３５が、係止解除ばね１８０に対して、撮像装置１００の後方側から前方に向かって当接する。これにより、係止解除ばね１８０の付勢力は、本体１１０および変位部材１７０ではなく、当接部１３５に対して作用する状態になり、変位部材１７０等の他の部材に対して付勢力が消失する。
【００４８】
係止解除ばね１８０の他の腕部１８４は、開閉発光部１３０自体の回転ヒンジ１３３に掛かっているので、係止解除ばね１８０の付勢力は、開閉発光部１３０の外部に対して作用しなくなる。よって、開閉発光部１３０が更に回転すると、係止解除ばね１８０の下側の腕部１８２は、開閉発光部１３０と共に回転ヒンジ１３３の回りを回転する。
【００４９】
図１０は、開閉発光部１３０の断面図である。図１０は、図９に示した状態から更に、開閉発光部１３０が図中時計回りに僅かに回転した状態を示す。
【００５０】
既に説明した通り、変位部材１７０は、係止部材１５０を通じて伝達された係止ばね１６０の付勢力により、撮像装置１００の後方側から前方に向かって常時付勢されている。このため、当接部１３５に当接して変位部材１７０に付勢力を及ぼさなくなった係止解除ばね１８０の腕部１８２が、開閉発光部１３０の回転に伴って図中左方に変位した場合、係止位置に向かって付勢された変位部材１７０もまた、腕部１８２の変位に連れ従って撮像装置１００の前方に向かって移動する。
【００５１】
撮像装置１００において変位部材１７０が前方に向かって変位した場合、係止部材１５０における係止フック１５４も、撮像装置１００の前方に向かって変位する。よって、開閉発光部１３０がより大きく開くに連れて、係止部材１５０は係止位置に向かって変位する。
【００５２】
また、変位部材１７０が前方に向かって変位した場合、変位部材１７０に連結されたプランジャ２１６もまた、前方に向かって変位する。これにより、プランジャ２１６と磁石部２１２との間隔が短縮され、やがて、プランジャ２１６は、磁石部２１２により吸着される。これにより、係止部材１５０は、図３に示した係止位置に復帰する。
【００５３】
このように、係止機構２００においては、係止が解除されて開閉発光部１３０が回転し始めた場合に当接部１３５が係止解除ばね１８０の腕部１８２に当接することにより、当接部１３５が係止解除ばね１８０の付勢力を受け止め、係止解除ばね１８０の付勢力が変位部材１７０に及ばなくなる。
【００５４】
これにより、変位部材１７０の位置は、腕部１８２を通じて伝達される係止解除ばね１８０の付勢力ではなく、開閉発光部１３０と共に回転する当接部１３５に位置決めされた腕部１８２の位置により決定される状態になる。よって、開閉発光部１３０の回転と共に係止解除ばね１８０の腕部１８２を移動させることにより、係止部材１５０に対する係止ばね１６０の付勢力と係止解除ばね１８０の付勢力とのバランスが変化するまで待つことなく、変位部材１７０に連結されたプランジャ２１６を磁石部２１２に吸着させ得る状態にすることができる。
【００５５】
なお、上記の状態においては、開閉発光部１３０は既に本体から離れている。よって、プランジャ２１６が磁石部２１２に吸着されて係止部材１５０が係止位置に復帰しても、開閉発光部１３０は、再係止されることなく、回転付勢ばね１９０の付勢力により回転ヒンジ１３３の回りを回転し続ける。換言すれば、当接部１３５が腕部１８２に当接して変位部材１７０が係止位置に向かって戻り始めるタイミングが、係止溝１３８が係止フック１５４に掛からない位置まで開閉発光部１３０が回転した後になるように、当接部１３５を配置することが好ましい。
【００５６】
上記のように、係止機構２００においては、開閉発光部１３０がわずかに回転すると、係止部材１５０、変位部材１７０およびソレノイドユニット２１０が係止位置に復帰する。よって、例えば、アクセサリシュー１４０にアクセサリが取り付けられた状態で開閉発光部１３０の係止を解除して完全に起立できない状態であっても、開閉発光部１３０を閉じることにより確実に再係止できる。
【００５７】
図１１は、開閉発光部１３０の断面図である。図１１は、図１０に示した状態から更に回転した開閉発光部１３０が、図２に示した起立位置にある状態を示す。
【００５８】
図示の状態において、開閉発光部１３０の一部は、図示されていない箇所において本体１１０の一部に当接する。これにより、開閉発光部１３０が、図中時計回りに、図示の状態以上に回転することが規制される。
【００５９】
また、図示の状態において、係止解除ばね１８０は、開閉発光部１３０と共に、更に回転している。これにより、係止解除ばね１８０の腕部１８２は、変位部材１７０から離れている。よって、係止解除ばね１８０の付勢力が、変位部材１７０にかかることはない。
【００６０】
上記のように起立した開閉発光部１３０を畳む場合は、開閉発光部１３０の先端、即ち図中上端近傍を、本体１１０に向かって押し下げる。これにより、開閉発光部１３０は、回転付勢ばね１９０の付勢力に抗して、回転ヒンジ１３３の回りを図中反時計回りに回転する。やがて、脚部１３４の下面が、係止部材１５０に接近すると、係止溝１３８の裏面に形成された斜面１３１が、係止部材１５０の上端に形成された斜面１５９に当接する。
【００６１】
ここで、係止部材１５０は、係止ばね１６０により前方に向かって付勢されている。しかしながら、斜面１３１、１５９により係止ばね１６０の付勢力に抗して押すことにより、係止フック１５４を後方に変位させることができる。更に、脚部の斜面１３１が係止部材の斜面１５９を通り過ぎると、係止フック１５４が係止溝１３８に嵌まり込んで、係止部材１５０は係止位置に復帰する。
【００６２】
なお、開閉発光部１３０を押し倒すにつれて、開閉発光部１３０と共に反時計回りに回転した付勢解除ばね１８０の腕部１８２が、再び変位部材１７０に付勢力を作用させる。しかしながら、変位部材１７０は、磁石部２１２に吸着されたプランジャ２１６を連結されているので、係止フック１５４の変位を妨げることはない。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６４】
１００  撮像装置、１１０  本体、１１２  起立ボタン、１１６  開口、１２０  レンズ鏡筒、１３０  開閉発光部、１３１、１５９  斜面、１３２  カバー、１３３  回転ヒンジ、１３４  脚部、１３５  当接部、１３６  発光窓、１３８  係止溝、１３９  突起、１４０  アクセサリシュー、１５０  係止部材、１５２  回転軸、１５４  係止フック、１５６、１７４  押当部、１５８  被付勢部、１６０  係止ばね、１６２、１６４、１８２、１８４、１９２、１９４  腕部、１７０  変位部材、１７２  係合部、１７６  連結部、１８０  係止解除ばね、１９０  回転付勢ばね、２００  係止機構、２１０  ソレノイドユニット、２１２  磁石部、２１４  コイル部、２１５  ブラケット、２１６  プランジャ、２１８  連結部
【図１】
2015069000.tif 000003
【図２】
2015069000.tif 000004
【図３】
2015069000.tif 000005
【図４】
2015069000.tif 000006
【図５】
2015069000.tif 000007
【図６】
2015069000.tif 000008
【図７】
2015069000.tif 000009
【図８】
2015069000.tif 000010
【図９】
2015069000.tif 000011
【図１０】
2015069000.tif 000012
【図１１】
2015069000.tif 000013